(57)【要約】【課題】  電子装置の電源供給体系を駆動するに用いられる電源を最少化し，バッテリーパックの使用時間および寿命を増加させる。【解決手段】  システム部１０と，バッテリーパックから供給される電源を上記システム部のシステム駆動電源に変換して出力するシステム電源供給部１１とを有する電子装置において，上記システム部をオン／オフさせるためのシステム電源選択信号を出力する電源選択部１４と，上記システム電源供給部の出力要否を制御するマイクロコントロールユニット（ＭＣＵ）１５と，上記システム電源選択信号に基づいて，上記バッテリーパックから供給される電源を上記マイクロコントロールユニットの制御電源として出力するかどうか決定し，上記マイクロコントロールユニットのオン／オフを制御するＭＣＵ電源制御部１２とを含むことを特徴とする，電子装置が提供される。【選択図】    図２
2005018740.tif 000002
【特許請求の範囲】
【請求項１】
複数の電子部品を有するシステム部と，バッテリーパックから供給される電源を前記システム部のシステム駆動電源に変換して出力するシステム電源供給部とを有する電子装置において：
使用者の操作によって前記システム部をオン／オフさせるためのシステム電源選択信号を出力する電源選択部と；
前記システム電源供給部の前記システム駆動電源の出力要否を制御するマイクロコントロールユニット（ＭＣＵ）と；
前記電源選択部から出力される前記システム電源選択信号に基づいて，前記バッテリーパックから供給される電源を前記マイクロコントロールユニットの制御電源として出力するかどうか決定し，前記マイクロコントロールユニットのオン／オフを制御するＭＣＵ電源制御部と；
を含むことを特徴とする，電子装置。
【請求項２】
前記ＭＣＵ電源制御部は，前記バッテリーパックから電源の供給を受けて前記制御電源を出力する制御電源供給部と；
前記電源選択部から出力される前記システム電源選択信号に基づいて，前記制御電源供給部の前記制御電源の出力要否を制御する制御電源オンオフ回路部と；
を含むことを特徴とする，請求項１に記載の電子装置。
【請求項３】
前記マイクロコントロールユニットは，前記制御電源供給部から前記制御電源が印加されたとき，前記システム電源供給部が前記システム駆動電源を出力するように制御することを特徴とする，請求項２に記載の電子装置。
【請求項４】
前記制御電源オンオフ回路部と前記電源選択部とを作動可能な状態に維持させる待機電源を出力する待機電源供給部をさらに含むことを特徴とする，請求項２に記載の電子装置。
【請求項５】
前記待機電源供給部は，所定の補助バッテリーまたは前記バッテリーパックから電源の供給を受けて前記待機電源を出力することを特徴とする，請求項４に記載の電子装置。
【請求項６】
前記マイクロコントロールユニットは，前記制御電源供給部から前記制御電源の供給を受けてオンされた場合，前記制御電源供給部が前記制御電源を出力維持するラッチ信号を前記制御電源オンオフ回路部に出力することを特徴とする，請求項２に記載の電子装置。
【請求項７】
前記制御電源オンオフ回路部は，前記システム電源選択信号と前記ラッチ信号を論理演算して，前記制御電源供給部における前記制御電源の出力要否を制御する制御電源選択信号を出力することを特徴とする，請求項６に記載の電子装置。
【請求項８】
前記制御電源オンオフ回路部は，前記システム電源選択信号と前記ラッチ信号のうちの少なくとも一つが所定の論理値を有する場合，前記制御電源供給部が前記制御電源を出力するように制御する制御電源選択信号を出力することを特徴とする，請求項７に記載の電子装置。
【請求項９】
前記電源選択部は，前記システム電源選択信号の論理値の変化時間を遅延させるための第１信号遅延回路部を含み，
前記制御電源オンオフ回路部は，前記システム電源選択信号の論理値の変化に応答して変わる前記制御電源選択信号の論理値の変化を遅延させるための第２信号遅延回路部を含むことを特徴とする，請求項８に記載の電子装置。
【請求項１０】
前記制御電源オンオフ回路部は，前記第１信号遅延回路部によって遅延された前記システム電源選択信号の論理値の変化時間が前記第２信号遅延回路部によって遅延された前記制御電源選択信号の論理値の変化時間より大きい場合，前記制御電源供給部が前記制御電源を出力するように制御する制御電源選択信号を出力することを特徴とする，請求項９に記載の電子装置。
【請求項１１】
前記マイクロコントロールユニットは，オン状態で，使用者の操作によって前記電源選択部から出力される前記システム電源選択信号の論理値の変化が感知された場合，前記制御電源供給部が前記制御電源の出力を遮断するようにラッチ信号を出力することを特徴とする，請求項６に記載の電子装置。
【請求項１２】
外部から入力される常用交流電源を直流電源に変換して前記システム電源供給部および前記制御電源供給部へ出力するアダプタと；
前記アダプタから電源が出力されているかどうかを感知するアダプタ感知部と，
前記バッテリーパックから前記システム電源供給部および前記制御電源供給部に供給される電源を供給または遮断させる放電スイッチング部と；
前記アダプタ感知部によって前記アダプタから電源が出力されることが感知される場合，前記放電スイッチング部をオフさせる放電スイッチング制御部と；
をさらに含むことを特徴とする，請求項６に記載の電子装置。
【請求項１３】
前記アダプタは，前記待機電源供給部に電源を供給し，
前記放電スイッチング部がオフされた場合，前記バッテリーパックから前記待機電源供給部に供給される電源が遮断されることを特徴とする，請求項１２に記載の電子装置。
【請求項１４】
前記アダプタ感知部は，前記アダプタからの電源の出力有無に対応する論理値を有するアダプタ感知信号を出力し，
前記制御電源オンオフ回路部は，前記システム電源選択信号，前記ラッチ信号および前記アダプタ感知信号を論理演算して前記制御電源選択信号を出力することを特徴とする，請求項１２に記載の電子装置。
【請求項１５】
前記制御電源オンオフ回路部は，前記アダプタ感知部から，前記アダプタが電源を出力している論理値を示すアダプタ感知信号を感知したとき，前記制御電源供給部が前記制御電源を出力する制御電源選択信号の出力を維持させることを特徴とする，請求項１４に記載の電子装置。
【請求項１６】
前記マイクロコントロールユニットは，前記アダプタ感知部から，前記アダプタが電源を出力している論理値を示すアダプタ感知信号を感知したとき，前記制御電源供給部が前記制御電源の出力を遮断するラッチ信号を，前記制御電源オンオフ回路部に出力することを特徴とする，請求項１４に記載の電子装置。
【請求項１７】
前記マイクロコントロールユニットは，前記アダプタ感知部から，前記アダプタが電源を出力している論理値を示すアダプタ感知信号が感知されている状態において，前記電源選択部から出力される前記システム電源選択信号の論理値の変化を感知し，これに応じて前記システム電源供給部の前記システム駆動電源の出力要否を制御することを特徴とする，請求項１５に記載の電子装置。
【発明の詳細な説明】
【技術分野】
【０００１】
本発明は，電子装置に関し，より詳しくは，電子装置の電源供給体系を駆動するのに用いられる電源を最少化し，バッテリーパックの使用時間および寿命を増加させることができる電子装置に関する。
【背景技術】
【０００２】
一般に，ラップトップコンピュータ，ノートブックコンピュータ，ＰＤＡ（Ｐｅｒｓｏｎａｌ  Ｄｉｇｉｔａｌ  Ａｓｓｉｓｔａｎｔ）などのような携帯用コンピュータ，ＣＤプレーヤー，ビデオカムコーダなどのように，バッテリーパックを使用する電子装置は携帯が可能であり，移動しながら使用できるという長所がある。また，このような携帯用電子装置は，一般に，アダプタを接続させることによって，常用交流電源を共に用いることができる。
【０００３】
特にコンピュータ技術の発達により，最近は携帯用コンピュータの普及が非常に拡大される傾向にある。これと共にバッテリーパックの充電容量および使用時間を増加させるための多様な方法が開発されている。また，同一な充電容量を有するバッテリーパックを用いながらその使用時間を増加させるための方法，言い換えると，電子装置が最少電力のみを使用することによって，バッテリーパックの使用時間を増加させることを目的とした方法も多様に研究されている。
【０００４】
図１は，従来の電子装置の電源供給体系を示すための制御ブロック図である。図面に示されているように，従来の電子装置は，電子装置としての機能を遂行するシステム部１１０と，システム部１１０に電源を供給するためのバッテリーパック１００およびアダプタ２００と，バッテリーパック１００またはアダプタ２００から供給される電源を，システム部１１０を駆動させるためのシステム駆動電源に変換して出力するシステム電源供給部１１１とを含む。
【０００５】
また，従来の電子装置は，システム電源供給部１１１がシステム部１１０に電源を供給および遮断するように制御するマイクロコントロールユニット１１５（ＭＣＵ：Ｍｉｃｒｏ  Ｃｏｎｔｒｏｌ  Ｕｎｉｔ）と，このマイクロコントロールユニット１１５に電源を供給する制御電源供給部１１２と，使用者の操作によってシステム電源選択信号を生成する電源選択部１１４とを含む。ここで，マイクロコントロールユニット１１５は，使用者の操作に応じて出力されるシステム電源選択信号によって，システム電源供給部１１１からシステム部１１０へ供給される電源をオンオフ制御する。
【０００６】
図１の説明されていない図面番号１２１，１２２は，アダプタ２００およびバッテリーパック１００に各々逆流する電源を遮断するための逆流防止ダイオードである。
【０００７】
しかし，このような従来の電子装置の電源供給体系においては，電源選択部１１４で生成されるシステム電源選択信号を感知するため，マイクロコントロールユニット１１５が常にオン状態，つまり，制御電源供給部１１２から電源が常に供給される状態を維持しなければならない。従って，バッテリーパック１００から電源が供給される場合には，電子装置（システム部）の使用と関係なくバッテリーパック１００の電源を消耗する問題点が生じる。例えば，バッテリーパック１００が１００％充電された状態で，電子装置の電源がオフされた状態に維持されたとしても，マイクロコントロールユニット１１５などが消耗する電力によって一定時間経過後バッテリーパック４００は全て放電されてしまう。特に，マイクロコントロールユニット１１５は，電子装置のオン／オフ状態に関する情報を保存するＥＥＰＲＯＭのようなメモリを含むが，このようなマイクロコントロールユニット１１５は消費する電力が比較的大きいため，バッテリーパック１００の電源消耗をさらに増加させる。
【０００８】
また，上記問題点は，バッテリーパック１００の頻繁な充電および放電と直結し，バッテリーパック１００の寿命短縮も招く。
【０００９】
一方，アダプタ２００を使用する場合には上記のようなバッテリーパック１００での問題点は考慮されないが，電子装置のオン／オフのために電力の損失を招く問題点は存在する。
【発明の開示】
【発明が解決しようとする課題】
【００１０】
本発明は，従来の電子装置が有する上記問題点に鑑みてなされたものであり，本発明の目的は，電子装置の電源供給体系を駆動するのに用いられる電源を最少化し，バッテリーパックの使用時間および寿命を増加させることが可能な，新規かつ改良された電子装置を提供することである。
【課題を解決するための手段】
【００１１】
上記課題を解決するために，本発明のある観点によれば，複数の電子部品を有するシステム部と，バッテリーパックから供給される電源を上記システム部のシステム駆動電源に変換して出力するシステム電源供給部とを有する電子装置において：使用者の操作によって上記システム部をオン／オフさせるためのシステム電源選択信号を出力する電源選択部と；上記システム電源供給部の上記システム駆動電源の出力要否を制御するマイクロコントロールユニット（ＭＣＵ）と；上記電源選択部から出力される上記システム電源選択信号に基づいて，上記バッテリーパックから供給される電源を上記マイクロコントロールユニットの制御電源として出力するかどうか決定し，上記マイクロコントロールユニットのオン／オフを制御するＭＣＵ電源制御部と；を含むことを特徴とする，電子装置が提供される。
【００１２】
ここで，上記ＭＣＵ電源制御部は，上記バッテリーパックから電源の供給を受けて上記制御電源を出力する制御電源供給部と，上記電源選択部から出力される上記システム電源選択信号に基づいて上記制御電源供給部の上記制御電源の出力要否を制御する制御電源オンオフ回路部とを含むとしても良い。
【００１３】
また，上記マイクロコントロールユニットは，上記制御電源供給部から上記制御電源が印加されたとき，上記システム電源供給部が上記システム駆動電源を出力するように制御するとしても良い。
【００１４】
また，上記制御電源オンオフ回路部と上記電源選択部とを作動可能な状態に維持させる待機電源を出力する待機電源供給部をさらに含むとしても良い。
【００１５】
ここで，上記待機電源供給部は，所定の補助バッテリーまたは上記バッテリーパックから電源の供給を受けて上記待機電源を出力することができる。
【００１６】
また，上記マイクロコントロールユニットは，上記制御電源供給部から上記制御電源の供給を受けてオンされた場合，上記制御電源供給部が上記制御電源を出力維持するラッチ信号を上記制御電源オンオフ回路部に出力するとしても良い。
【００１７】
また，上記制御電源オンオフ回路部は，上記システム電源選択信号と上記ラッチ信号を論理演算して，上記制御電源供給部における上記制御電源の出力要否を制御する制御電源選択信号を出力するとしても良い。
【００１８】
また，上記制御電源オンオフ回路部は，上記システム電源選択信号と上記ラッチ信号のうちの少なくとも一つが所定の論理値を有する場合，上記制御電源供給部が上記制御電源を出力するように制御する制御電源選択信号を出力するとしても良い。
【００１９】
また，上記電源選択部は，上記システム電源選択信号の論理値の変化時間を遅延させるための第１信号遅延回路部を含み，上記制御電源オンオフ回路部は上記システム電源選択信号の論理値の変化に応答して変わる上記制御電源選択信号の論理値の変化を遅延させるための第２信号遅延回路部を含むとしても良い。
【００２０】
ここで，上記制御電源オンオフ回路部は，上記第１信号遅延回路部によって遅延された上記システム電源選択信号の論理値の変化時間が上記第２信号遅延回路部によって遅延された上記制御電源選択信号の論理値の変化時間より大きい場合，上記制御電源供給部が上記制御電源を出力するように制御する制御電源選択信号を出力するとしても良い。
【００２１】
そして，上記マイクロコントロールユニットは，オン状態で使用者の操作によって上記電源選択部から出力される上記システム電源選択信号の論理値の変化が感知された場合，上記制御電源供給部が上記制御電源の出力を遮断するようにラッチ信号を出力するとしても良い。
【００２２】
そして，外部から入力される常用交流電源を直流電源に変換して上記システム電源供給部および上記制御電源供給部に出力するアダプタと，上記アダプタから電源が出力されているか否かを感知するアダプタ感知部と，上記バッテリーパックから上記システム電源供給部および上記制御電源供給部に供給される電源を供給または遮断させる放電スイッチング部と，上記アダプタ感知部によって上記アダプタから電源が出力されることが感知される場合，上記放電スイッチング部をオフさせる放電スイッチング制御部とをさらに含むとしても良い。
【００２３】
そして，上記アダプタは上記待機電源供給部に電源を供給し，上記放電スイッチング部がオフされた場合，上記バッテリーパックから上記待機電源供給部に供給される電源が遮断されるとしても良い。
【００２４】
そして，上記アダプタ感知部は上記アダプタからの電源の出力有無に対応する論理値を有するアダプタ感知信号を出力し，上記制御電源オンオフ回路部は上記システム電源選択信号，上記ラッチ信号および上記アダプタ感知信号を論理演算して上記制御電源選択信号を出力するとしても良い。
【００２５】
ここで，上記制御電源オンオフ回路部は，上記アダプタ感知部から，上記アダプタが電源を出力している論理値を示すアダプタ感知信号を感知したとき，上記制御電源供給部が上記制御電源を出力する制御電源選択信号の出力を維持させるとしても良い。
【００２６】
そして，上記マイクロコントロールユニットは上記アダプタ感知部から，上記アダプタが電源を出力している論理値を示すアダプタ感知信号を感知したとき，上記制御電源供給部が上記制御電源の出力を遮断するラッチ信号を上記制御電源オンオフ回路部に出力するとしても良い。
【００２７】
そして，上記マイクロコントロールユニットは，上記アダプタ感知部から，上記アダプタが電源を出力している論理値を示すアダプタ感知信号が感知されている状態において，上記電源選択部から出力される上記システム電源選択信号の論理値の変化が感知し，これに応じて上記システム電源供給部の上記システム駆動電源の出力要否を制御するとしても良い。
【発明の効果】
【００２８】
このように，システム部１０をオン／オフさせるためのシステム電源選択信号ＳＣを出力する電源選択部１４と，システム電源供給部１１のシステム駆動電源ＶＳの出力要否を制御するマイクロコントロールユニット１５と，バッテリーパック１から供給される電源をマイクロコントロールユニット１５を駆動させるための制御電源ＶＭとして出力する制御電源供給部１２ａと，システム電源選択信号ＳＣによって制御電源供給部１２ａの制御電源ＶＭの出力要否を制御してマイクロコントロールユニット１５のオン／オフを制御する制御電源オンオフ回路部１２ｂとを備えることによって，電源供給体系を駆動するに用いられる電源を最少化し，バッテリーパック１の使用時間および寿命を増加させることができる。
【発明を実施するための最良の形態】
【００２９】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００３０】
図２は本実施形態による電子装置の制御ブロック図である。図面に示されているように，本発明の第１の実施形態による電子装置は，システム部１０，バッテリーパック１，システム電源供給部１１，電源選択部１４，マイクロコントロールユニット１５（ＭＣＵ；Ｍｉｃｒｏ  Ｃｏｎｔｒｏｌ  Ｕｎｉｔ），ＭＣＵ電源制御部１２を含む。
【００３１】
バッテリーパック１は，システム電源供給部１１に電子装置として必要な電源を供給する。ここで，バッテリーパック１はシステムに着脱可能に備えられることができ，示されていない充電部によって再充電可能な２次電池であり得る。
【００３２】
システム部１０は，本実施形態による電子装置の主機能を遂行する複数の電子部品で構成される。例えば，本実施形態による電子装置が携帯用コンピュータである場合には，システム部１０はＣＰＵ，ＲＡＭなどのシステムメモリ，グラフィックカード，メインボードなどを含むことができる。ここで，システム部１０はシステム電源供給部１１からシステム駆動電源ＶＳの供給を受けて駆動する。
【００３３】
システム電源供給部１１は，バッテリーパック１から供給される電源をシステム部１０を駆動させるためのシステム駆動電源ＶＳに変換して出力する。ここで，システム電源供給部１１は，マイクロコントロールユニット１５の制御によって，システム部１０に供給されるシステム駆動電源ＶＳを供給または遮断する。
【００３４】
電源選択部１４は，使用者の操作によってシステム電源選択信号ＳＣを出力する。本発明の好ましい実施形態による電源選択部１４は，使用者が電源スイッチＫを押したとき，論理値‘０’のシステム電源選択信号ＳＣを出力し，使用者が電源スイッチＫの押圧力を除去したとき，論理値‘１’のシステム電源選択信号ＳＣを出力する。
【００３５】
マイクロコントロールユニット１５は，システム電源供給部１１にシステム駆動信号ＳＭを出力することによって，システム電源供給部１１のシステム駆動電源ＶＳの出力要否を制御する。また，マイクロコントロールユニット１５は，制御電源供給部１２ａから制御電源ＶＭの印加を受けて駆動する。ここで，マイクロコントロールユニット１５がオフされた場合（つまり，制御電源供給部１２ａから制御電源ＶＭが遮断された場合），システム電源供給部１１がシステム駆動電源ＶＳの出力を遮断するように動作する。つまり，マイクロコントロールユニット１５がオフされる場合，電子装置が非作動となる。
【００３６】
また，マイクロコントロールユニット１５は，制御電源オンオフ回路部１２ｂにラッチ信号ＳＢを出力する。このラッチ信号ＳＢに関する詳細な説明は後述する。
【００３７】
ＭＣＵ電源制御部１２は，電源選択部１４から出力されるシステム電源選択信号ＳＣに基づいて，バッテリーパック１から供給される電源をマイクロコントロールユニット１５の制御電源ＶＭとして出力するかどうかを決定し，マイクロコントロールユニット１５のオン／オフを制御する。ここで，ＭＣＵ電源制御部１２は，バッテリーパック１から電源の供給を受けて制御電源ＶＭを出力する制御電源供給部１２ａと，電源選択部１４から出力されるシステム電源選択信号ＳＣに基づいて，制御電源供給部１２ａの制御電源ＶＭの出力要否を制御する制御電源オンオフ回路部１２ｂとを含む。
【００３８】
制御電源供給部１２ａは，バッテリーパック１から供給される電源を，マイクロコントロールユニット１５を駆動させるための制御電源ＶＭに変換して出力する。制御電源供給部１２ａは，制御電源オンオフ回路部１２ｂから印加される制御電源選択信号ＳＤによって制御電源ＶＭの出力要否を決定する。ここで，制御電源供給部１２ａは，ＭＩＣ５２３６のようなＬＤＯ  ＩＣ（Ｌｏｗ  Ｄｒｏｐ  Ｏｕｔ  ｒｅｇｕｌａｔｏｒ  ＩＣ）であるのことが好ましい（図３参照）。ＬＤＯ  ＩＣ（ＭＩＣ５２３６）はイネーブル端子ＥＮに論理値‘１’の信号が印加されると，入力端子ＩＮに印加されている入力電圧が出力端子ＯＵＴを通じて所定の電圧レベルに変換されて出力される。したがって，バッテリーパック１から電源はＬＤＯ  ＩＣ（ＭＩＣ５２３６）の入力端子ＩＮを通じて入力され，マイクロコントロールユニット１５の駆動電圧に合うように出力端子ＯＵＴに出力される。
【００３９】
制御電源オンオフ回路部１２ｂは制御電源選択信号ＳＤを制御電源供給部１２ａに出力し，制御電源供給部１２ａの制御電源ＶＭの出力要否を制御することによって，マイクロコントロールユニット１５のオン／オフを制御する。本発明の好ましい実施形態による制御電源オンオフ回路部１２ｂは，制御電源供給部１２ａが制御電源ＶＭを出力するように論理値‘１’の制御電源選択信号ＳＤを出力し，制御電源供給部１２ａが制御電源ＶＭを遮断するように論理値‘０’の制御電源選択信号ＳＤを出力する。
【００４０】
一方，本実施形態による電子装置は外部から入力される常用交流電源を直流電源に変換するアダプタ２をさらに含むことができる。これによって，システム電源供給部１１はアダプタ２とバッテリーパック１のうちのいずれか一つから電源の印加を受けてシステム駆動電源ＶＳを出力することができる。また，制御電源供給部１２ａもアダプタ２とバッテリーパック１のうちのいずれか一つから電源の供給を受けてマイクロコントロールユニット１５に制御電源ＶＭを出力する。
【００４１】
また，本実施形態による電子装置は，アダプタ２から電源が出力されているか否かを感知するアダプタ感知部１７をさらに含むことができる。アダプタ感知部１７は，アダプタ２からの電源の出力有無に対応する論理値を有するアダプタ感知信号ＳＡを出力し，アダプタ感知部１７から出力されたアダプタ感知信号ＳＡは，制御電源オンオフ回路部１２ｂおよびマイクロコントロールユニット１５に伝達される。ここで，制御電源オンオフ回路部１２ｂは，アダプタ２から電源が出力される場合に，該当するレベルのアダプタ感知信号ＳＡが感知されたとき，マイクロコントロールユニット１５がオン状態を維持できるように制御電源供給部１２ａを制御する。また，マイクロコントロールユニット１５はアダプタ感知信号ＳＡによってアダプタ２の装着有無を判断する。本発明の好ましい実施形態によるアダプタ感知部１７は，アダプタ２が電源を出力することと感知したとき，論理値‘１’のアダプタ感知信号ＳＡを出力し，アダプタ２が電源を出力しないことと感知したとき，論理値‘０’のアダプタ感知信号ＳＡを出力するように備えられる。
【００４２】
また，本実施形態による電子装置は，バッテリーパック１からシステム電源供給部１１および制御電源供給部１２ａに電源が供給および遮断されるようにオン／オフされる放電スイッチング部１９と，アダプタ感知部１７から印加されるアダプタ感知信号ＳＡによって放電スイッチング部１９のオン／オフを制御する放電スイッチング制御部１８とをさらに含むのが好ましい。ここで，放電スイッチング制御部１８は，論理値‘１’のアダプタ感知信号ＳＡが感知された場合，放電スイッチング部１９をオフさせることによって，バッテリーパック１からシステム電源供給部１１および制御電源供給部１２ａに供給される電源を遮断する。これによって，アダプタ２が電源を出力する場合には，バッテリーパック１の使用を遮断することによって，バッテリーパック１の使用時間を増加させる。
【００４３】
また，本実施形態による電子装置は，バッテリーパック１またはアダプタ２から供給される電源を制御電源オンオフ回路部１２ｂと電源選択部１４とを駆動させるための待機電源ＶＳｂに変換して出力する待機電源供給部１６をさらに含むことができる。これによって，制御電源オンオフ回路部１２ｂおよび電源選択部１４は常にオンの状態を維持することができ，電源選択部１４は使用者の外部操作に対応してシステム電源選択信号ＳＣを出力することが可能になり，制御電源オンオフ回路部１２ｂはシステム電源選択信号ＳＣ，アダプタ感知信号ＳＡなどを感知して制御電源選択信号ＳＤを出力できる。ここで，待機電源供給部１６はＭＡＸ１６１５のようなＬＤＯ  ＩＣであるのが好ましい。
【００４４】
ここで，放電スイッチング制御部１８が放電スイッチング部１９をオフさせる場合，バッテリーパック１から待機電源供給部１６に供給される電源が遮断されるように備えられるのが好ましい。これによって，電子装置がアダプタ２から必要な電源の供給を受ける場合，制御電源オンオフ回路部１２ｂおよび電源選択部１４の駆動に必要な待機電源ＶＳｂもアダプタ２から供給され，バッテリーパック１の使用を最少化することができる。
【００４５】
以下，図３を参照して，本発明の好ましい実施形態による制御電源オンオフ回路部１２ｂと電源選択部１４を詳細に説明する。
【００４６】
本実施形態による制御電源オンオフ回路部１２ｂは，電源選択部１４から出力されるシステム電源選択信号ＳＣ，マイクロコントロールユニット１５から出力されるラッチ信号ＳＢおよびアダプタ感知部１７から出力されるアダプタ感知信号ＳＡを論理演算する論理演算回路部１２ｂ’を含む。論理演算回路部１２ｂ’はシステム電源選択信号ＳＣ，ラッチ信号ＳＢおよびアダプタ感知信号ＳＡを論理演算して制御電源供給部１２ａの制御電源ＶＭの出力要否を制御するための制御電源選択信号ＳＤを出力する。ここで，本発明の好ましい実施形態による論理演算回路部１２ｂ’はアダプタ感知信号ＳＡがハイであるか，システム電源選択信号ＳＣとラッチ信号ＳＢのうちのいずれか一つがローである場合に論理値‘１’の制御電源選択信号ＳＤが出力される。本発明の好ましい実施形態による論理演算回路部１２ｂ’はラッチ信号ＳＢの論理値を反転させるＮＯＴ−ゲートＮ１と，ＮＯＴ−ゲートＮ１から出力される信号とアダプタ感知信号ＳＡを論理和演算して出力するＯＲ−ゲートＵ１と，システム電源選択信号ＳＣの論理値を反転させるＮＯＴ−ゲートＮ２と，ＯＲ−ゲートＵ１とＮＯＴ−ゲートＮ２から出力される信号を論理和演算して出力するＯＲ−ゲートＵ２とを含む。
【００４７】
一方，電源選択部１４は，図３に示されているように，使用者のオン操作が除去された時から論理値‘１’のシステム電源選択信号ＳＣが出力されることを遅延させるための第１信号遅延回路部１４ｂを含む。ここで，第１信号遅延回路部１４ｂは抵抗Ｒ１，コンデンサＣ１およびダイオードＤ１を含むとしても良い。抵抗Ｒ１とコンデンサＣ１は，電源スイッチＫが押されることによりシステム電源選択信号ＳＣが論理値‘０’に落ちた後，電源スイッチＫから力が除去されることによりシステム電源選択信号ＳＣが再び論理値‘１’に転換されることを遅延させる。ダイオードＤ１は電流の逆流を防止する。
【００４８】
また，制御電源オンオフ回路部１２ｂは論理値‘０’のシステム電源選択信号ＳＣが感知された時から論理値‘１’の制御電源選択信号ＳＤが出力されることを遅延させるための第２信号遅延回路部１２ｂ’’を含む。ここで，第２信号遅延回路部１２ｂ’’は抵抗Ｒ２，コンデンサＣ２およびダイオードＤ２を含むとしても良い。抵抗Ｒ２とコンデンサＣ２は制御電源選択信号ＳＤが論理値‘０’から論理値‘１’に転換されることを遅延させ，ダイオードＤ２は電流の逆流を防止する。これによって，制御電源オンオフ回路部１２ｂは，電源選択部１４に対する使用者の操作時間と第１信号遅延回路部１４ｂによって遅延された時間との合計が第２信号遅延回路部１２ｂ’’によって遅延された時間より大きい場合，論理値‘１’の制御電源選択信号ＳＤを出力する。
【００４９】
図４Ａは，システム電源選択信号および制御電源選択信号の関係を示した図面である。ここでは，制御電源オンオフ回路部１２ｂにおける，電源選択部１４に対する使用者の操作時間ａと第１信号遅延回路部１４ｂによって遅延された時間ｂとの合計ｃが第２信号遅延回路部１２ｂ’’によって遅延された時間ｄより小さい場合のシステム電源選択信号ＳＣおよび制御電源選択信号ＳＤの時間による論理値の変化が示している。図面に示されているように，システム電源選択信号ＳＣが使用者の操作によって論理値‘０’に落ちると，制御電源選択信号ＳＤが第２信号遅延回路部１２ｂ’’によって徐々に論理値‘１’に向かって増加する。この時，電源選択部１４から使用者の操作が除去されると，システム電源選択信号ＳＣは第１信号遅延回路部１４ｂによって徐々に論理値‘１’に向かって増加する。この場合も，システム電源選択信号ＳＣは論理値‘１’と認識される境界値に到達するまでは論理値‘０’と認識され，制御電源選択信号ＳＤは論理値‘１’に向かって増加し続ける。
【００５０】
しかし，第１信号遅延回路部１４ｂによって遅延される時間ｂが経過されてシステム電源選択信号ＳＣが論理値‘１’に転換され，第２信号遅延回路部１２ｂ’’によって遅延される時間ｄが経過していないと，制御電源選択信号ＳＤは論理値‘１’に転換されず論理値‘０’に向かって減少し，論理値‘０’を維持する。したがって，制御電源オンオフ回路部１２ｂは，スイッチングオンオフ信号が論理値‘０’に転換される場合においても制御電源選択信号ＳＤを論理値‘１’に転換しなくなる。反面，図４Ｂに示されているように，使用者が十分な時間ａ’の間，電源選択部１４を操作（押圧）する場合には，スイッチングオンオフ信号が論理値‘０’に落ちた後，再び論理値‘１’に転換される時間ｂ’，つまり，電源選択部１４に対する使用者の操作時間ａ’と第１信号遅延回路部１４ｂによって遅延された時間ｂ’との合計ｃ’が第２信号遅延回路部１２ｂ’’によって遅延された時間ｄより大きくなり，制御電源オンオフ回路部１２ｂが論理値‘１’の制御電源選択信号ＳＤを出力する。
【００５１】
以下，本実施形態による電子装置がオン／オフされる過程を図５〜図８を参照して説明する。ここで，電子装置がバッテリーパック１からの電源を使用する場合をバッテリーモードと任意に定義し，アダプタ２からの電源を使用する場合をアダプタモードと任意に定義して説明する。
【００５２】
まず，バッテリーモードで，電子装置がオンされる過程を図５を参照して説明すると次の通りである。
【００５３】
使用者がバッテリーパック１を電子装置に装着する場合（Ｓ１０），アダプタモードであるか否かによってバッテリーパック１から電源が供給されるか否かが決定される（Ｓ１１）。つまり，前述のように，アダプタ２から電源が供給される場合には放電スイッチング制御部１８が放電スイッチング部１９をオフさせてバッテリーパック１から電子装置に供給される電源を遮断し，アダプタ２から必要な電源の供給を受けるので，バッテリーパック１から電源が供給されない。つまり，電子装置はアダプタモードＡで作動しているのを意味する。
【００５４】
反面，アダプタ２から電源が供給されていない場合，つまり，放電スイッチング部１９がオンされた状態である場合，つまり，バッテリーモードである場合（Ｓ１２）には，装着されたバッテリーからシステム電源供給部１１，制御電源供給部１２ａおよび待機電源供給部１６に電源が供給される。
【００５５】
その次に，バッテリーから電源の供給を受けた待機電源供給部１６は待機電源ＶＳｂを出力し（Ｓ１３），出力された待機電源ＶＳｂは制御電源オンオフ回路部１２ｂおよび電源選択部１４に供給されて（Ｓ１４），制御電源オンオフ回路部１２ｂおよび電源選択部１４をオンさせ，駆動可能な状態を維持する。
【００５６】
この時，使用者が電源選択部１４を操作する場合（Ｓ１５），電源選択部１４は論理値‘０’のシステム電源選択信号ＳＣを出力し（Ｓ１６），電源選択部１４から出力された論理値‘０’のシステム電源選択信号ＳＣは制御電源オンオフ回路部１２ｂに入力される。ここで，アダプタ感知部１７はアダプタ２が電源を出力しない状態なので論理値‘０’のアダプタ感知信号ＳＡを出力する。また，マイクロコントロールユニット１５からのラッチ信号ＳＢは論理値‘１’と認識される。したがって，制御電源オンオフ回路部１２ｂから出力される制御電源選択信号ＳＤはシステム電源選択信号ＳＣの論理値によって決定される状態を有する。
【００５７】
ここで，制御電源オンオフ回路部１２ｂは電源選択部１４に対する使用者の操作時間および第１信号遅延回路部１４ｂによって遅延された時間の合計ｃと第２信号遅延回路部１２ｂ’’によって遅延された時間ｄとを比較して（Ｓ１７），制御電源オンオフ回路部１２ｂは，電源選択部１４に対する使用者の操作時間および第１信号遅延回路部１４ｂによって遅延された時間の合計ｃが第２信号遅延回路部１２ｂ’’によって遅延された時間ｄより大きい場合に，制御電源選択信号ＳＤを論理値‘１’に転換して出力し（Ｓ１８），制御電源オンオフ回路部１２ｂは，電源選択部１４に対する使用者の操作時間および第１信号遅延回路部１４ｂによって遅延された時間の合計ｃが第２信号遅延回路部１２ｂ’’によって遅延された時間ｄと比較して小さい場合に，制御電源選択信号ＳＤを論理値‘０’に維持する。
【００５８】
ここで，制御電源オンオフ回路部１２ｂから論理値‘１’の制御電源選択信号ＳＤが出力される場合，制御電源供給部１２ａはマイクロコントロールユニット１５に制御電源ＶＭを出力し（Ｓ１９），マイクロコントロールユニット１５は制御電源ＶＭによってオンされ，さらに初期化される（Ｓ２０）。
【００５９】
その次に，マイクロコントロールユニット１５は，初期化段階において，システム電源供給部１１がシステム部１０にシステム駆動電源ＶＳを出力するように制御し（Ｓ２２），これによって電子装置がオンする（Ｓ２３）。
【００６０】
また，マイクロコントロールユニット１５は初期化段階で，論理値‘０’のラッチ信号ＳＢを制御電源オンオフ回路部１２ｂに印加し（Ｓ２１），制御電源オンオフ回路部１２ｂは論理値‘０’のラッチ信号ＳＢによって制御電源ＶＭを論理値‘１’に維持することができる。これにより，電源選択部１４に対する使用者の操作が除去されてシステム電源選択信号ＳＣが論理値‘１’に転換されても，制御電源選択信号ＳＤは論理値‘１’に維持される。
【００６１】
一方，バッテリーモードで，電子装置がオフされる過程を図６を参照して説明する。
【００６２】
まず，バッテリーモードで電子装置がオン状態である場合，制御電源オンオフ回路部１２ｂに印加されるアダプタ感知信号ＳＡは論理値‘０’であり，システム電源選択信号ＳＣは論理値‘１’であり，ラッチ信号ＳＢは論理値‘０’であり，制御電源選択信号ＳＤは論理値‘１’である。つまり，制御電源選択信号ＳＤはラッチ信号ＳＢによって論理値‘１’を維持する状態である（Ｓ３１）。
【００６３】
この時，使用者が電子装置をオフさせるために電源選択部１４を操作すると，電源選択部１４はシステム電源選択信号ＳＣを論理値‘０’に転換して出力する（Ｓ３２）。その次，マイクロコントロールユニット１５が論理値‘０’に転換されるシステム電源選択信号ＳＣを感知し，ラッチ信号ＳＢを論理値‘１’に転換する（Ｓ３３）。
【００６４】
その次に，制御電源オンオフ回路部１２ｂは論理値‘１’に転換されたラッチ信号ＳＢと論理値‘０’に転換されたシステム電源選択信号ＳＣを感知する。この時，電源選択部１４に対する使用者の操作が除去されてシステム電源選択信号ＳＣが再び論理値‘１’に転換されると，制御電源オンオフ回路部１２ｂは制御電源選択信号ＳＤを論理値‘０’に転換して出力する（Ｓ３４）。
【００６５】
その次に，論理値‘０’に転換された制御電源選択信号ＳＤが制御電源供給部１２ａに印加されると，制御電源供給部１２ａはマイクロコントロールユニット１５に出力される制御電源ＶＭを遮断して（Ｓ３５），マイクロコントロールユニット１５をオフさせる（Ｓ３６）。そして，システム電源供給部１１は，マイクロコントロールユニット１５がオフされることに従ってシステム部１０に出力されるシステム駆動電源ＶＳを遮断し，システム部１０がオフする（Ｓ３７）。
【００６６】
一方，アダプタモードで，電子装置がオンされる過程を図７を参照して説明する。
【００６７】
まず，使用者が電子装置にアダプタ２を装着し（Ｓ４０），アダプタ２から電源が出力される場合，アダプタ感知部１７がこれを感知して論理値‘１’のアダプタ感知信号ＳＡを出力する（Ｓ４１）。
【００６８】
その次に，放電スイッチング制御部１８はアダプタ感知部１７から出力される論理値‘１’のアダプタ感知信号ＳＡを感知して，放電スイッチング部１９をオフさせる（Ｓ４１）。これにより，バッテリーモードでアダプタ２が装着されて電源が出力される場合には，バッテリーパック１からの電源を遮断することによって，バッテリーパック１の使用を遮断することができるようになる。また，アダプタモードで使用者がバッテリーパック１を装着する場合にも，バッテリーパック１の使用を遮断することができるようになる。
【００６９】
一方，アダプタ２から出力される電源は待機電源供給部１６に印加され，待機電源供給部１６は制御電源オンオフ回路部１２ｂおよび電源選択部１４に待機電源ＶＳｂを出力する（Ｓ４２，Ｓ４３）。
【００７０】
その次に，制御電源オンオフ回路部１２ｂは論理値‘１’のアダプタ感知信号ＳＡを感知して，論理値‘１’の制御電源選択信号ＳＤを出力する（Ｓ４４）。この場合，制御電源オンオフ回路部１２ｂに入力されるラッチ信号ＳＢは論理値‘１’または‘０’であっても良い。
【００７１】
その次に，制御電源供給部１２ａは，制御電源オンオフ回路部１２ｂから印加される論理値‘１’の制御電源選択信号ＳＤによってマイクロコントロールユニット１５に制御電源選択信号ＳＤを出力し（Ｓ４５），マイクロコントロールユニット１５は制御電源ＶＭによってオンされ，さらに初期化される（Ｓ４６）。
【００７２】
この時，マイクロコントロールユニット１５はアダプタ感知部１７から出力される論理値‘１’のアダプタ感知信号ＳＡによってアダプタモードであることを認識し，論理値‘１’のラッチ信号ＳＢを出力する（Ｓ４７）。これによって，制御電源オンオフ回路部１２ｂに入力される各信号は，アダプタ感知信号ＳＡが論理値‘１’，ラッチ信号ＳＢが論理値‘１’，システム電源選択信号ＳＣが論理値‘１’を維持する。したがって，制御電源オンオフ回路部１２ｂから出力される制御電源選択信号ＳＤはラッチ信号ＳＢやシステム電源選択信号ＳＣの論理値の変化に関係なく，論理値‘１’のアダプタ感知信号ＳＡによって論理値‘１’に維持され，これにより，マイクロコントロールユニット１５はアダプタモードである場合に，常にオン状態を維持することができる。
【００７３】
一方，アダプタモードで電子装置のオンおよびオフは，図７および図８に示されているように，マイクロコントロールユニット１５が電源選択部１４に対する使用者の操作によって論理値‘０’に転換されるシステム電源選択信号ＳＣを感知して，システム電源供給部１１がシステム駆動電源ＶＳを出力または遮断するように制御することによって遂行される。つまり，アダプタモードの場合，制御電源オンオフ回路部１２ｂに印加されるシステム電源選択信号ＳＣは前述のように，制御電源オンオフ回路部１２ｂから出力される制御電源ＶＭの論理値の変化に影響を与えることができないので，マイクロコントロールユニット１５がシステム電源選択信号ＳＣを感知して電子装置のオンおよびオフを決定する。例えば，電子装置がオフ状態でシステム電源選択信号ＳＣが論理値‘０’に転換されることが感知されたとき（図７，Ｓ４８参照），マイクロコントロールユニット１５は電子装置をオンさせ（図７，Ｓ４９，Ｓ５０参照），電子装置がオン状態（Ｓ６１）でシステム電源選択信号ＳＣが論理値‘０’に転換されることが感知されたとき（図８，Ｓ６１参照），マイクロコントロールユニット１５は電子装置をオフさせる（図８，Ｓ６２，Ｓ６３参照）。
【００７４】
一方，本実施形態による電子装置はアダプタ２およびバッテリーパック１に各々逆流される電源を遮断するための逆流防止ダイオード２１，２２をさらに含むことができる（図２および図９参照）。ここで，バッテリーパック１に逆流される電源を遮断する逆流防止ダイオード２２は，図９に示されているように，放電スイッチング部１９の一構成要素として備えられることができることはもちろんである。
【００７５】
前述の実施形態で，本発明の理解を助けるためにシステム電源選択信号ＳＣ，ラッチ信号ＳＢ，アダプタ感知信号ＳＡおよび制御電源選択信号ＳＤの論理値に対する好ましい実施形態を挙げて説明したが，各信号の論理値が異なって表現され得ることはもちろんである。例えば，電源選択部１４が使用者の操作に対応して論理値‘１’のシステム電源選択信号ＳＣを出力するように形成され，これによって制御電源オンオフ回路部１２ｂもシステム電源選択信号ＳＣが論理値‘１’である時に論理値‘１’の制御電源選択信号ＳＤを出力するように形成されることも可能である。
【００７６】
前述の実施形態および図２では，本実施形態による電子装置がバッテリーパック１およびアダプタ２から電源の供給を受けるように構成されているが，アダプタ２が除去され得ることはもちろんである。この場合，アダプタ２の感知のためのアダプタ感知部１７や，放電スイッチング制御部１８および放電スイッチング部１９も除去可能であるのはもちろんである。
【００７７】
また，前述の実施形態では待機電源供給部１６がバッテリーパック１またはアダプタ２から電源の供給を受けて待機電源を出力するように形成されているが，図１０に示されているように，別途の補助バッテリーとしてのバッテリーパック１ａから電源の供給を受けて待機電源を出力するように形成することができることはもちろんである。補助バッテリーの一例として本実施形態による電子装置が携帯用コンピュータである場合，スタンバイモード（Ｓ３，Ｓ４モード）でバッテリーパックの交替時にラムの放電を防止してデータを失わないようにし，ＣＭＯＳバックアップのために用いられるブリッジバッテリー（Ｂｒｉｄｇｅ  Ｂａｔｔｅｒｙ）であるのが好ましい。
【００７８】
図１０の説明されない図面符号２３および２４は電流の逆流を防止するダイオードである。
【００７９】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００８０】
本発明は，電子装置に関し，より詳しくは，電子装置の電源供給体系を駆動するのに用いられる電源を最少化し，バッテリーパックの使用時間および寿命を増加させることができる電子装置に適用可能である。
【図面の簡単な説明】
【００８１】
【図１】従来の電子装置の制御ブロック図である。
【図２】本実施形態による電子装置の制御ブロック図である。
【図３】図１の電子装置の制御電源オンオフ回路部および電源選択部の好ましい実施形態による構成を示した図面である。
【図４Ａ】本実施形態によるシステム電源選択信号および制御電源選択信号の関係を示した図面である。
【図４Ｂ】本実施形態によるシステム電源選択信号および制御電源選択信号の関係を示した図面である。
【図５】バッテリーモードで本実施形態による電子装置がオンされる過程を示した制御フローチャートである。
【図６】バッテリーモードで本実施形態による電子装置がオフされる過程を示した制御フローチャートである。
【図７】アダプタモードで本実施形態による電子装置がオンされる過程を示した制御フローチャートである。
【図８】アダプタモードで本実施形態による電子装置がオフされる過程を示した制御フローチャートである。
【図９】本実施形態による放電スイッチング部の一例を示した図面である。
【図１０】本実施形態による補助バッテリーが設置された電子装置の制御ブロック図の一部を示した図面である。
【符号の説明】
【００８２】
１          バッテリーパック
２          アダプタ
１０        システム部
１１        システム電源供給部
１２        ＭＣＵ電源制御部
１２ａ      制御電源供給部
１２ｂ      制御電源オンオフ回路部
１２ｂ’    論理演算回路部
１２ｂ’’  第２信号遅延回路部
１４        電源選択部
１４ｂ      第１信号遅延回路部
１５        マイクロコントロールユニット
１６        待機電源供給部
１７        アダプタ感知部
１８        放電スイッチング制御部
１９        放電スイッチング部
【図１】
2005018740.tif 000003
【図２】
2005018740.tif 000004
【図３】
2005018740.tif 000005
【図４Ａ】
2005018740.tif 000006
【図４Ｂ】
2005018740.tif 000007
【図５】
2005018740.tif 000008
【図６】
2005018740.tif 000009
【図７】
2005018740.tif 000010
【図８】
2005018740.tif 000011
【図９】
2005018740.tif 000012
【図１０】
2005018740.tif 000013